(57)【要約】【課題】外部から強い衝撃などが加わってもパレットから外れ難く、パレットに容易に取り付け可能であり、既存製品のパレットにそのまま取り付け可能な、ＩＤタグホルダー及び、該ＩＤタグホルダーが取り付けられたＩＤタグホルダー付きパレットを提供する。【解決手段】隣接する桟の間の距離と略同一の奥行き幅を有する頭部と、該頭部と接続する本体部とからＩＤタグホルダーを構成し、本体部には、奥行き方向に突設する弾性片と、本体部の底面より突設する突起を形成し、挿入時において、弾性片が、隣接する桟の少なくとも一方の桟の垂下リブの下端部と係合するように構成するとともに、突起が、パレットの他方面側に形成されている貫通孔と嵌合するように構成した。【選択図】図７
2011057260.tif 000002
【特許請求の範囲】
【請求項１】
ＩＤタグが保持可能に構成され、
パレットの一方面側に形成されている隣接する桟の間に挿入されて、パレットに取り付けられるＩＤタグホルダーであって、
前記隣接する桟の間の距離と略同一の奥行き幅を有する頭部と、該頭部と接続する本体部とから構成され、
前記本体部には、奥行き方向に突設する弾性片と、本体部の底面より突設する突起が形成されており、
挿入時において、
前記弾性片が、前記隣接する桟の少なくとも一方の桟の垂下リブの下端部と係合するように構成されるとともに、
前記突起が、前記パレットの他方面側に形成されている貫通孔と嵌合するように構成されていることを特徴とするＩＤタグホルダー。
【請求項２】
前記頭部の幅が、前記隣接する桟と直交に配設された、隣接する接続壁の間の距離と、略同一に形成されていることを特徴とする請求項１に記載のＩＤタグホルダー。
【請求項３】
前記弾性片が複数形成されており、且つ、該複数の弾性片が略左右対称の位置に形成されていることを特徴とする請求項１又は２に記載のＩＤタグホルダー。
【発明の詳細な説明】
【技術分野】
【０００１】
本発明は、物流の各所において、パレットを識別するために使用されるＩＤタグをパレットに取り付けるためのＩＤタグホルダー、及び該ＩＤタグホルダーを有するＩＤタグホルダー付きパレットに関する。
【背景技術】
【０００２】
近年、ＩＣチップにＩＤ情報（個体識別情報）を記録し、このＩＤ情報を電波などで読み取ることができる無線ＩＣタグ（ＲＦＩＤタグ）をパレットに取り付けることで、物流の各所において、パレットやパレットに載置された荷物をリアルタイムで管理するシステムが普及してきている。
【０００３】
このようなＩＤタグをパレットに取り付けるためのホルダーとして、特許文献１には、図１３、図１４、図１５に示したようなＩＤタグホルダー１００が提案されている。ここで、図１３は、特許文献１のＩＤタグホルダーを示した斜視図であり、図１３（Ａ）は、ＩＤタグが装着される側を示した斜視図、図１３（Ｂ）は、ＩＤタグが装着される側の反対側を示した斜視図である。図１４は、特許文献１のＩＤタグホルダーがパレットに取り付けられた状態を示した斜視図である。図１５は、特許文献１のＩＤタグホルダーをパレットに取り付けている状態を示した断面図であり、図１５（Ａ）は、パレットの垂下壁に上部突出爪を挟み込んだ状態を示した断面図、図１５（Ｂ）は、パレットの突出壁に下部突出爪を挟み込んだ状態を示した断面図である。
【０００４】
この特許文献１のＩＤタグホルダー１００は、ポリエチレン、ポリプロピレン等の合成樹脂によって形成され、図１３及び図１４に示したように、ＩＤタグホルダー１００の上部には、パレットの垂下壁１０９を挟み込むように上部突出爪１１８、１１９、１２０が形成されている。また、ＩＤタグホルダー１００の下部には、パレットの突出壁１１１を挟み込むように下部突出爪１２１、１２２、１２３が形成されている。更に、下部突出爪１２１、１２２、１２３の内、端側に形成されている１２１と１２３は、該突出爪からＬ字状に連続して形成された取っ手１２４によって連結されている。
【０００５】
また、ＩＤタグホルダー１００の中央部には、ＩＤタグ保持部１１７が形成されており、このＩＤタグ保持部１１７にＩＤタグ１３２を装着可能に構成されている。
このＩＤタグホルダー１００は、次の通りパレットに取り付けられる。すなわち、ＩＤタグホルダー１００のＩＤタグ保持部１１７にＩＤタグ１３２を装着した後、図１５（Ａ）に示したように、ＩＤタグホルダー１００の上部突出爪１１８、１２０と１１９の間に、パレットの垂下壁１０９を嵌合させる。そして、この状態でＩＤタグホルダー１００の取っ手１２４を手で押し上げて、図１５（Ｂ）に示したように、下部突出爪１２２がパレットの突出壁１１１を乗り越える様に上方に押圧し、下部突出爪１２１、１２３と１２２の間にパレットの突出壁１１１を嵌合させることで、図１４に示したように、ＩＤタグホルダー１００がパレットに取り付けられる。
【０００６】
また、特許文献２では、図１６、図１７、図１８に示したようなＩＤタグホルダー付きパレット２００が提案されている。ここで、図１６は、特許文献２のＩＤタグホルダー付きパレットを分解した状態を示した斜視図である。図１７は、特許文献２のＩＤタグホルダー付きパレットを示した斜視図である。図１８は、図１７のＡ−Ａ線における断面図であり、パレットにＩＤタグホルダーを取り付けている状態を示した断面図である。
【０００７】
この特許文献２のＩＤタグホルダー付きパレット２００において、パレット２０１は、図１６及び図１７に示したように、表面側デッキボード２０２の上に平行に延びた桟２０６、２０７が形成されている。桟２０６は、平面部２０８と該平面部２０８から下方に垂下した垂下部２０９とを有し、同様に、桟２０７は、平面部２１０と該平面部２１０から下方に垂下した垂下部２１１とを有している。また、桟２０６には、平面部２０８と垂下部２０９との境目に通孔２１２と、通孔２１３が形成されており、同様に、桟２０７には、平面部２１０と垂下部２１１との境目に通孔２１２に対向する通孔２１４と、通孔２１３に対向する通孔２１５が形成されている。
【０００８】
また、特許文献２のＩＤタグホルダー付きパレット２００において、ＩＤタグホルダー２１６は、ポリエチレン、ポリプロピレン等の合成樹脂によって形成され、図１６に示したように、様々な形状のＩＤタグ２３６、２３７、２３８を保持可能に構成されたＩＤタグ保持部２１７と、該ＩＤタグ保持部２１７の上部に形成された突出片２１８、２１９、２２０、２２１を有している。
【０００９】
このＩＤタグホルダー付きパレット２００において、ＩＤタグホルダー２１６は、次の通りパレット２０１に取り付けられる。すなわち、ＩＤタグホルダー２１６のＩＤタグ保持部２１７にＩＤタグ２３６、２３７、２３８等を装着した後、図１８に示したように、ＩＤタグ保持部２１７を桟２０６と桟２０７との間に挿入し、突出片２１８を通孔２１４に差し込むとともに、突出片２２０を通孔２１５に差し込む。そして、桟２０６の通孔２１２上を通って僅かに平面部２０８に達している突出片２１９を通孔２１２に差し込むとともに、桟２０６の通孔２１３上を通って僅かに平面部２０８に達している突出片２２１を上から押圧して変形させ、突出片２２１を通孔２１３に差し込むことで、図１７に示したように、ＩＤタグホルダー２１６がパレット２０１に取り付けられる。
【先行技術文献】
【特許文献】
【００１０】
【特許文献１】特許第３８２９９５８号公報
【特許文献２】特許第３８４１１７７号公報
【発明の概要】
【発明が解決しようとする課題】
【００１１】
ところで、特許文献１のＩＤタグホルダー１００では、ＩＤタグホルダー１００の弾性力を利用して、ＩＤタグホルダー１００をパレットに取り付けるため、経年劣化に伴う弾性力の低下により、ＩＤタグホルダー１００がパレットから外れ易くなるとの課題があった。
【００１２】
また、ＩＤタグホルダー１００とパレットとの係合方法が、上述したように、パレットの垂下壁１０９、突出壁１１１と、上部突出爪１１８、１１９、１２０及び下部突出爪１２１、１２２、１２３とを、各々嵌合させた取り付け構造であるため、外部から強い衝撃などが加わった場合に、ＩＤタグホルダー１００が外れ易いとの課題もあった。
【００１３】
さらに、図１５に示したような狭い空間内で、上述したような細かな取り付け作業を行わなければならないため、取り付け作業性に劣るところがあった。
また、特許文献２のＩＤタグホルダー付きパレット２００では、図１６及び図１７に示したように、ＩＤタグホルダー２１６を桟２０６、２０７の間に挿入して、表面側デッキボード２０２に形成された通孔２１２、２１３、２１４、２１５に、ＩＤタグホルダー２１６の突出片２１８、２１９、２２０、２２１を差し込む取り付け構造であるため、外部から強い衝撃が加わった場合や、桟間に積載物等が落ち込んでＩＤタグホルダー２１６を押圧した場合などに、突出片２１８、２１９、２２０、２２１が外れてしまい、ＩＤタグホルダー２１６が外れ易いとの課題があった。
【００１４】
また、パレット２０１の表面側デッキボード２０２に通孔２１２、２１３、２１４、２１５を形成しなければならないため、既存製品のパレットに取り付けるためには、パレットを改造する必要があり、新たにパレット製造する場合でも、既存製品のパレットの金型を改造する必要があった。
【００１５】
本発明は、このような現状に鑑みなされたものであって、外部から強い衝撃などが加わっても、ＩＤタグホルダーがパレットから外れ難く、パレットに容易に取り付け可能なＩＤタグホルダー及び、該ＩＤタグホルダーが取り付けられたＩＤタグホルダー付きパレットを提供することを目的とする。
【００１６】
また、本発明は、既存製品のパレットにそのまま取り付け可能であり、したがって、パレットの改造や、既存製品のパレットの金型を改造する必要のない、ＩＤタグホルダー及び、該ＩＤタグホルダーが取り付けられたＩＤタグホルダー付きパレットを提供することを目的とする。
【課題を解決するための手段】
【００１７】
本発明は、上述したような従来技術における課題および目的を達成するために発明されたものであって、本発明のＩＤタグホルダーは、
ＩＤタグが保持可能に構成され、
パレットの一方面側に形成されている隣接する桟の間に挿入されて、パレットに取り付けられるＩＤタグホルダーであって、
前記隣接する桟の間の距離と略同一の奥行き幅を有する頭部と、該頭部と接続する本体部とから構成され、
前記本体部には、奥行き方向に突設する弾性片と、本体部の底面より突設する突起が形成されており、
挿入時において、
前記弾性片が、前記隣接する桟の少なくとも一方の桟の垂下リブの下端部と係合するように構成されるとともに、
前記突起が、前記パレットの他方面側に形成されている貫通孔と嵌合するように構成されていることを特徴とする。
【００１８】
このように構成することによって、本発明のＩＤタグホルダーは、隣接する桟の間の距離と略同一の奥行き幅を有する頭部を備えることから、ＩＤタグホルダーをパレットの例えば表面側のデッキボードに形成された隣接する桟の間に挿入した際に、頭部と桟との間に殆ど隙間が形成されず、ＩＤタグホルダーが桟に直交する方向にガタつくのを抑えることができる。
【００１９】
また、本発明のＩＤタグホルダーは、挿入時において、弾性片が、隣接する桟の少なくとも一方の桟の垂下リブの下端部と係合するように構成されていることから、ＩＤタグホルダーをパレットの例えば表面側のデッキボードに形成された隣接する桟の間に挿入した際に、この弾性片がストッパーとなって、ＩＤタグホルダーが挿入方向に抜けてしまうのを確実に防止することができる。
【００２０】
また、本発明のＩＤタグホルダーは、挿入時において、本体部の底面から突設する突起が、パレットの他方面側に形成されている貫通孔と嵌合するように構成されているため、ＩＤタグホルダーをパレットの例えば表面側のデッキボードに形成された隣接する桟の間に挿入した際に、この突起と他方面側に形成されている貫通孔とが嵌合することで、ＩＤタグホルダーが桟の延設方向にガタつくのを抑えることができる。
【００２１】
したがって、本発明のＩＤタグホルダーは、外部から強い衝撃などが加わっても、ＩＤタグホルダーがパレットから外れ難い。また、本発明のＩＤタグホルダーは、隣接する桟の間に挿入するだけで、パレットに取り付け可能であり、パレットへの取り付けが容易である。
【００２２】
さらに、本発明のＩＤタグホルダーは、既存製品のパレットに元から形成されている桟や貫通孔を利用してパレットに取り付け可能に構成されているため、パレットの改造や、既存製品のパレットの金型を改造する必要がなく、経済的にＩＤタグをパレットに取り付けることができる。
【００２３】
上記発明において、
前記頭部の幅が、前記隣接する桟と直交に配設された、隣接する接続壁の間の距離と、略同一に形成されていることが望ましい。
【００２４】
このように構成することによって、頭部の幅が、隣接する桟と直交に配設された、隣接する接続壁の間の距離と、略同一に形成されていることから、ＩＤタグホルダーをパレットの例えば表面側のデッキボードに形成された隣接する桟の間に挿入した際に、頭部と接続壁との間に殆ど隙間が形成されず、ＩＤタグホルダーが桟の延設方向にガタつくのを確実に防止することができる。
【００２５】
上記発明において、
前記弾性片が複数形成されており、且つ、該複数の弾性片が略左右対称の位置に形成されていることが望ましい。
【００２６】
このように構成することによって、弾性片が複数形成されており、且つ、該複数の弾性片が略左右対称の位置に形成されているため、ＩＤタグホルダーをパレットの例えば表面側のデッキボードに形成された隣接する桟の間に取り付けた状態で、外部から強い衝撃などが加わっても、この略左右対称の位置に形成された複数の弾性片がストッパーとなり、外部からの衝撃に対して均等に抗力を発揮することから、ＩＤタグホルダーが挿入方向に抜けてしまうのをより確実に防止することができる。
【００２７】
上記発明において、
前記頭部が、
前記弾性片と垂下リブとの係合を解除するための操作手段を、前記頭部の上方から挿入可能に構成されていることが望ましい。
【００２８】
このように構成することによって、頭部が、弾性片と垂下リブとの係合を解除するための操作手段、例えばドライバーや人の指などを、前記頭部の上方から挿入可能に構成されているため、パレットに取り付けられたＩＤタグホルダーを容易に取り外すことができる。
【００２９】
また、本発明のＩＤタグホルダー付きパレットは、パレットに、上述したＩＤタグホルダーが取り付けられている。
上記発明において、
前記パレットに、ＩＤタグホルダーを挿入する際の位置決め用の目印が形成されていることが望ましい。
【００３０】
このように構成することによって、パレットにＩＤタグホルダーを挿入して取り付ける際の位置決めを容易に行うことができるため、ＩＤタグホルダーのパレットへの取り付けをより一層容易に行うことができる。
【発明の効果】
【００３１】
本発明によれば、外部から強い衝撃などが加わっても、ＩＤタグホルダーがパレットから外れ難く、パレットに容易に取り付け可能なＩＤタグホルダー及び、該ＩＤタグホルダーが取り付けられたＩＤタグホルダー付きパレットを提供することができる。
【００３２】
また、本発明によれば、既存製品のパレットにそのまま取り付け可能であり、したがって、パレットの改造や、既存製品のパレットの金型を改造する必要のない、ＩＤタグホルダー及び、該ＩＤタグホルダーが取り付けられたＩＤタグホルダー付きパレットを提供することができる。
【図面の簡単な説明】
【００３３】
【図１】図１は、本実施例のＩＤタグホルダー付きパレットにおけるパレットの全体を示した斜視図である。
【図２】図２は、図１のＡ〜Ｃ部における斜線図である。
【図３】図３は、図１のＡ〜Ｃ部における断面図である。
【図４】図４は、本発明のＩＤタグホルダーの正面側を示した斜視図である。
【図５】図５は、本発明のＩＤタグホルダーの裏面側を示した斜視図であり、図４のタグホルダーを上下逆にした状態を示した図である。
【図６】図６は、本発明のＩＤタグホルダーの側面図である。
【図７】図７は、本発明のＩＤタグホルダーをパレットに取り付ける前の状態を示した図である。
【図８】図８は、本発明のＩＤタグホルダーをパレットに取り付けた状態を示した斜視図である。
【図９】図９は、図８のＡ−Ａ線での断面図である。
【図１０】図１０は、本発明の第２の実施の形態に係るＩＤタグホルダー付きパレット１２を示した図であり、本発明のＩＤタグホルダーをパレットに取り付けた状態を示した斜視図である。
【図１１】図１１は、図１０のＢ−Ｂ線での断面図である。
【図１２】図１２は、本発明の第３の実施の形態に係るＩＤタグホルダー付きパレットを示した図であり、本発明のＩＤタグホルダーをパレットに取り付けた状態を示した斜視図である。
【図１３】図１３は、特許文献１のＩＤタグホルダーを示した斜視図であり、図１３（Ａ）は、ＩＤタグが装着される側を示した斜視図、図１３（Ｂ）は、ＩＤタグが装着される側の反対側を示した斜視図である。
【図１４】図１４は、特許文献１のＩＤタグホルダーがパレットに取り付けられた状態を示した斜視図である。
【図１５】図１５は、特許文献１のＩＤタグホルダーをパレットに取り付けている状態を示した断面図であり、図１５（Ａ）は、パレットの垂下壁に上部突出爪を挟み込んだ状態を示した断面図、図１５（Ｂ）は、パレットの突出壁に下部突出爪を挟み込んだ状態を示した断面図である。
【図１６】図１６は、特許文献２のＩＤタグホルダー付きパレットを分解した状態を示した斜視図である。
【図１７】図１７は、特許文献２のＩＤタグホルダー付きパレットを示した斜視図である。
【図１８】図１８は、図１７のＡ−Ａ線における断面図であり、パレットにＩＤタグホルダーを取り付けている状態を示した断面図である。
【発明を実施するための形態】
【００３４】
以下、本発明の実施の形態（実施例）を図面に基づいて詳細に説明する。
なお、本発明のＩＤタグホルダー１０及びＩＤタグホルダー付きパレット１２は、図７に示したように、ＩＤタグホルダー１０が、パレット７０に取り付けられることで、ＩＤタグホルダー付きパレット１２を構成するものである。よって、以下の説明では、先ずパレット７０について説明し、その後、本発明のＩＤタグホルダー１０及びＩＤタグホルダー付きパレット１２について説明する。
【００３５】
［パレット７０］
図１は、本実施例のＩＤタグホルダー付きパレットにおけるパレット全体を示した斜視図である。図２は、図１のＡ部における斜線図である。図３は、図１のＡ部における断面図である。
【００３６】
本実施例のＩＤタグホルダー付きパレットにおけるパレット７０は、ポリエチレン、ポリプロピレン等の合成樹脂によって形成され、図１に示したように、平面視で略正方形状をなしており、表面側デッキボード７２及び裏面側デッキボード７４と、隅部に形成された隅部支柱７６と、中間部に形成された中間部支柱７８とを有しており、隅部支柱７６と中間部支柱７８との間には、フォーク挿入口８０が形成されている。すなわち、このパレット７０は、両面側にデッキボードが形成され、全部で８箇所のフォーク挿入口８０が形成された、所謂４方差し両面使用型のパレットである。
【００３７】
本実施例のＩＤタグホルダー付きパレット１２では、図１に示したパレット７０の中間部支柱７８の表面側部分（Ａ部）からＩＤタグホルダー１０が挿入されて、取り付けられる。このパレット７０のＡ部には、図２に示したように、表面側デッキボード７２において、互いに平行に配設された複数の桟８２、８２、‥が形成されており、裏面側デッキボード７４においても、互いに平行に配設された複数の桟８３、８３、‥が形成されている。
【００３８】
この表面側デッキボード７２に形成された複数の桟８２、８２、‥と、裏面側デッキボード７４に形成された複数の桟８３、８３、‥とは、各々対向する位置に配設されるのでなく、平面的に互いにずらされて配設されている。すなわち、図３に示したように、表面側デッキボード７２の桟８２の対向する下方側には、裏面側デッキボード７４の桟８３は配置されず、同様に、裏面側デッキボード７４の桟８３に対抗する上方側には、表面側デッキボードの桟８２は配置されない。なお、このような桟の配置構成は、合成樹脂パレットの製造時における金型の配置に起因するものであり、一体成形型の合成樹脂パレットにおいては標準的な桟の配置構成である。
【００３９】
また、図２に示したように、表面側デッキボード７２に形成された桟８２の中央部には、貫通孔８２ｈが形成されている。また、同様に、裏面側デッキボード７４に形成された桟８３の中央部には、貫通孔８３ｈが形成されている。この貫通孔８２ｈ、８３ｈは、水抜き孔としての役目を果たすものであり、このような貫通孔８２ｈ、８３ｈは、既存製品の多くの合成樹脂パレットに形成されている。
【００４０】
また、図２〜図３に示したように、表面側デッキボード７２に形成された桟８２の軸直角方向の一方の側縁には、裏面側デッキボード７４に向けて垂下する垂下リブ８２ａが形成されており、桟８２の軸直角方向の他方の側縁には、裏面側デッキボード７４に向けて垂下して裏面側デッキボード７４の桟８３と接続する垂下壁８２ｂが形成されている。また、桟８２及び桟８３と直交して配設された複数の接続壁８４、８４、‥が、表面側デッキボード７２と裏面側デッキボード７４とを接続するように形成されている。そして、図２に示したように、この隣接する２本の桟８２、８２と、隣接する２本の接続壁８４、８４とに囲まれて、開口８６が形成されている。本発明のＩＤタグホルダー１０は、この開口８６から挿入されて、図３に示したパレット７０の隣接する桟８２の垂下リブ８２ａと、桟８２の垂下リブ８２ａとで挟まれた空間（ａ部）、又は隣接する桟８２の垂下リブ８２ａと、桟８２の垂下壁８２ｂとで挟まれた空間（ｂ部）に取り付けられる。
【００４１】
なお、本実施例のパレット７０は、上述したように、所謂両面使用型のパレットであるが、このような所謂両面使用型のパレットにあっては、ＩＤタグホルダー１０を、図１に示した裏面側デッキボード７４から挿入して取り付けることも可能である。
【００４２】
また、本実施例のパレット７０は、上述したように、図１に示したパレット７０の中間部支柱７８の表面側部分（Ａ部）にＩＤタグホルダー１０が取り付けられるように構成されているが、本発明のＩＤタグホルダー付きパレット１２におけるパレット７０の構造は、これに限定されない。すなわち、図１を例に説明すれば、本発明のＩＤタグホルダー付きパレット１２のパレット７０の構造は、フォーク挿入口８０が形成されていない部分にＩＤタグホルダー１０が取り付け可能に構成されていればよく、図１に示した隅部支柱７６の上面部分（Ｂ部）やパレット７０の中心部分（Ｃ部）などに、ＩＤタグホルダー１０が取り付け可能に構成されていてもよい。
【００４３】
また、本実施例のパレット７０は、上述したように、所謂４方差しのパレットであるが、本発明のＩＤタグホルダー付きパレット１２におけるパレット７０は、所謂２方差しのパレットであってもよく、特に限定されない。
【００４４】
［ＩＤタグホルダー１０］
図４は、本発明のＩＤタグホルダーの正面側を示した斜視図である。図５は、本発明のＩＤタグホルダーの裏面側を示した斜視図であり、図４のタグホルダーを上下逆にした状態を示した図である。図６は、本発明のＩＤタグホルダーの側面図である。
【００４５】
図４〜図６において、符号１０は、全体で本発明のＩＤタグホルダーを示している。
なお、本明細書において、ＩＤタグホルダーの幅方向とは、図４及び図５において矢印Ｘで示した方向を、ＩＤタグホルダーの高さ方向とは、図４〜図６において矢印Ｙで示した方向を、ＩＤタグホルダーの奥行き方向とは、図４〜図６において矢印Ｚで示した方向を言うものとする。
【００４６】
本実施例のＩＤタグホルダー１０は、ポリエチレン、ポリプロピレン等の合成樹脂により形成され、図４〜図６に示したように、頭部２０と本体部３０とから構成されている。
頭部２０は、頂板２２、底板２８、及び側板２４、２５が、一体的に連結されて形成されており、正面視で略長方形の中空形状をなしている。また、頭部２０の奥行き方向の中心位置には中板２６が立設しており、頂板２２と底板２８及び側板２４、２５と接続して固定されている。また、側板２４、２５は、図６に示したように、その下方側、すなわち底板側に向けて緩やかなテーパーが付されており、側面視で略台形状をなしている。
【００４７】
また、頭部２０の頂板２２の奥行き幅は、前述したパレット７０の表面側デッキボード７２に形成された隣接する桟８２、８２の間の距離と略同一に形成されている。さらに、頭部２０の頂板２２の幅は、前述した、パレットの表面側デッキボード７２に形成された隣接する接続壁８４、８４の間の距離と略同一に形成されている。すなわち、本実施例の頂板２２は、パレット７０の開口８６と略同一の平面形状に形成されている。
【００４８】
また、本体部３０は、図４〜図６に示したように、ＩＤタグ保持部３２と底部３４とから構成されている。
ＩＤタグ保持部３２は、ＩＤタグホルダー１０の高さ方向に延伸する縦部材３６、３７を備えており、縦部材３６、３７の上方側、すなわち頭部２０が形成されている側には、基台部４４、４５が夫々形成されている。また、この縦部材３６、３７は、その下方側、すなわち頭部２０が形成されている側と反対側で、底部３４と夫々接続している。
【００４９】
また、ＩＤタグ保持部３２の正面側には、図４に示したように、係止片４８、５０、５２及び係止片４９、５１、５３が夫々形成されている。さらに、ＩＤタグ保持部３２の裏面側には、図５に示したように、縦部材３６、３７を接続するように幅方向に延設された横リブ５４、５５、この横リブ５４、５５と直交するように延設された縦リブ５８、５９、及び縦リブ５８、５９を接続するように幅方向に延設された中間リブ５６が形成されている。これにより、係止片４８、５０、５２及び係止片４９、５１、５３と、横リブ５４、５５及び縦リブ５８、５９との間にＩＤタグ６６を挟み込むことで、ＩＤタグ保持部３２において、ＩＤタグ６６を保持できるように構成されている。
【００５０】
基台部４４、４５は、図６に示したように、側面視で、上方に向けて左右にテーパーが付された略ホームベース状をなしており、その両端部には、上方に垂設されてその先端が左右方向、すなわちＩＤタグホルダー１０の奥行き方向の外側に向けて突設する弾性片４０、４１及び弾性片４２、４３が夫々形成されている。
【００５１】
また、基台部４４、４５の奥行き幅は、頭部２０の奥行き幅よりも小さく形成されているが、この弾性片４０、４１、４２、４３の奥行き方向の先端は、図６に示したように、頭部２０の頂板２２に対して外側に位置するように形成されている。また、この弾性片４０、４１、４２、４３の先端部分は、ＩＤタグホルダー１０をパレット７０に挿入する際、弾性片４０、４１、４２、４３が内側に弾性変形し易いように、上方に向けて外側にテーパーが付されている。
【００５２】
また、基台部４４、４５の上方側には、奥行き方向の中央部分に縦壁３８、３９が垂設されており、頭部２０の底板２８及び側板２４、２５と夫々接続している。また、幅方向の内側端部には、補強壁４６、４７が垂設されており、頭部２０の底板２８と接続している。すなわち、縦壁３８、３９と補強壁４６、４７とが、頭部２０の底部２８及び側板２４、２５と接続することにより、頭部２０と本体部３０とが固定されている。
【００５３】
また、底部３４には、図４〜図６に示したように、その底面６０の中心位置に突起６２が突設されている。この突起６２の形状は、前述した裏面側デッキボード７４に形成された桟８３の中央部分に形成されている貫通孔８３ｈと嵌合するよう、貫通孔８３ｈと略同一の径及び高さに形成されている。
【００５４】
また、図６に示した、底面６０から弾性片４０、４１、４２、４３の上端までの距離Ｙ１は、図３に示した、裏面側デッキボード７４に形成された桟８３の裏面から表面側デッキボード７２に形成された桟８２の垂下リブ８２ａの下端部までの距離Ｙ２と、略同一に形成されている。
【００５５】
なお、本実施例のＩＤタグホルダー１０では、弾性片は全部で４つ形成されており、該４つの弾性片は、ＩＤタグホルダー１０の中心線を軸として、左右対称の位置に形成されている。すなわち、ＩＤタグホルダー１０の正面側を示した図４に示したように、弾性片４１と４３とは、一点破線で示したＩＤタグホルダー１０の中心線ＣＬを軸として、左右対称の位置に形成されている。また、ＩＤタグホルダー１０の裏面側を示した図５に示したように、弾性片４０と４２とは、一点破線で示したＩＤタグホルダー１０の中心線ＣＬを軸として、左右対称の位置に形成されている。さらに、ＩＤタグホルダー１０の側面側を示した図６に示したように、弾性片４１と４０及び弾性片４３と４２とは、一点破線で示したＩＤタグホルダー１０の中心線ＣＬを軸として、左右対称の位置に形成されている。
【００５６】
このように、本発明のＩＤタグホルダー１０では、弾性片が複数形成されており、且つ、該複数の弾性片が左右対称に形成されている方が、ＩＤタグホルダー１０をパレット７０に取り付けた際に、ＩＤタグホルダー１０が挿入方向に抜けるのをより確実に防止することができるため望ましい。しかしながら、本発明のＩＤタグホルダー１０は、弾性片の数は少なくとも１つあればよく、また、弾性片がＩＤタグホルダー１０の左右対称の位置に形成されていなくとも、ＩＤタグホルダー１０をパレット７０に取り付けた際に、ＩＤタグホルダー１０が挿入方向に抜けるのを防ぐことは可能である。
【００５７】
また、本実施例のＩＤタグホルダー１０では、頭部２０の頂板２２が、開口８６と略同一の平面形状に形成されているため、一旦、本実施例のＩＤタグホルダー１０がパレット７０に取り付けられると、ＩＤタグホルダー１０の本体部３０に触れることができないため、弾性片４０、４１、４２、４３と垂下リブ８２ａとの係合を解除することが困難となる。
【００５８】
したがって、本発明のＩＤタグホルダー１０は、頭部２０が、弾性片４０、４１、４２、４３と垂下リブ８２ａとの係合を解除するための操作手段、例えばドライバーや人の指などを、頭部２０の上方から挿入可能に構成されていることが望ましい。このような頭部２０の構成としては、例えば、図４及び図５に示した本実施例のＩＤタグホルダー１０の頭部２０において、頂板２２及び底板２８を取り除くことで、形成することができる。
【００５９】
また、本実施例のＩＤタグホルダー１０では、ＩＤタグ６６を保持するＩＤタグ保持部３２は、本体部３０に形成されていたが、本発明のＩＤタグホルダーはこれに限定されない。すなわち、ＩＤタグホルダー１０のいずれかの部位にＩＤタグ６６が保持可能に構成されていればよく、ＩＤタグ６６の形状によっては、例えば、頭部２０にＩＤタグ６６を保持するように構成してもよい。
【００６０】
［ＩＤタグホルダー付きパレット１２］
図７は、本発明のＩＤタグホルダーをパレットに取り付ける前の状態を示した図である。図８は、本発明のＩＤタグホルダーをパレットに取り付けた状態を示した斜視図である。図９は、図８のＡ−Ａ線での断面図である。
図７〜図９において、符号１２は、全体で本発明のＩＤタグホルダー付きパレットを示している。
【００６１】
本発明のＩＤタグホルダー付きパレット１２において、ＩＤタグホルダー１０は、以下に示すようにして、パレット７０に取り付けられる。
先ず、図７に示したように、ＩＤタグホルダー１０のＩＤタグ保持部３２にＩＤタグ６６を装着した状態で、ＩＤタグホルダー１０を底部３４からパレット７０の表面側デッキボード７２に形成された開口８６、すなわち、隣接する桟８２の垂下リブ８２ａと、桟８２の垂下リブ８２ａとの間に、挿入する。
【００６２】
すると、ＩＤタグホルダー１０の奥行き方向の外側に向けて突設する弾性片４０、４１、４２、４３が、表面側デッキボード７２の桟８２の垂下リブ８２ａと当設して内側に弾性変形する。そして、底面６０に形成された突起６２が、裏面側デッキボード７４の桟８３の中央部分に形成されている貫通孔８３ｈと嵌合するところまで、ＩＤタグホルダー１０を挿入すると、弾性片４０、４１、４２、４３の上端が垂下リブ８２ａの下端に位置し、垂下リブ８２ａと当接して弾性変形していた弾性片４０、４１、４２、４３が元の状態に戻り、弾性片４０、４１、４２、４３と垂下リブ８２ａの下端とが係合する。このようにして、図８及び図９に示したように、ＩＤタグホルダー１０はパレット７０に取り付けられる。
【００６３】
以上のとおり、本発明のＩＤタグホルダー１０は、表面側デッキボード７２の隣接する桟８２、８２の間に挿入するだけで、パレット７０に簡単に取り付けることができる。
また、本発明のＩＤタグホルダー１０は、パレット７０に元から形成されている桟８２や貫通孔８３ｈを利用して、ＩＤタグホルダー１０を取り付け可能に構成されているため、既存製品のパレットにそのまま取り付け可能である。したがって、パレットの改造や、既存製品のパレットの金型を改造する必要がなく、経済的にパレットへＩＤタグを取り付けることができる。
【００６４】
また、このようにしてＩＤタグホルダー１０が取り付けられたＩＤタグホルダー付きパレット１２は、隣接する桟８２、８２の間の距離と略同一の奥行き幅を有する頭部２０を備えることから、頭部２０と桟８２との間に殆ど隙間が形成されず、ＩＤタグホルダー１０が桟に直交する方向にガタつくことがない。また、弾性片４０、４１、４２、４３と垂下リブ８２ａの下端とが係合していることから、この弾性片４０、４１、４２、４３がストッパーとなるため、ＩＤタグホルダー１０が挿入方向に抜けてしまうことがない。
また、底面６０に形成された突起６２と、裏面側デッキボードの桟８３の中央部に形成された貫通孔８３ｈとが嵌合しており、さらに、頭部２０の幅が、隣接する接続壁８４の間の距離と略同一に形成され、頭部２０と接続壁８４との間に殆ど隙間が形成されないことから、ＩＤタグホルダー１０が桟の延設方向にガタつくことがない。
【００６５】
したがって、本発明のＩＤタグホルダー付きパレット１２は、外部から強い衝撃などが加わっても、ＩＤタグホルダー１０がパレット７０から外れ難い。
図１０は、本発明の第２の実施の形態に係るＩＤタグホルダー付きパレット１２を示した図であり、本発明のＩＤタグホルダーをパレットに取り付けた状態を示した斜視図である。図１１は、図１０のＢ−Ｂ線での断面図である。
【００６６】
本実施例のＩＤタグホルダー１０及びＩＤタグホルダー付きパレット１２は、図１〜図９に示したＩＤタグホルダー１０及びＩＤタグホルダー付きパレット１２と基本的には同様の構成であり、同一の部材には、同一の符号を付して、その詳細な説明を省略する。
【００６７】
本実施例のＩＤタグホルダー付きパレット１２では、図１０〜図１１に示したように、隣接する桟８２の垂下リブ８２ａと、桟８２の垂下壁８２ｂとの間に、ＩＤタグホルダー１０が挿入されて、パレット７０に取り付けられている。すなわち、本実施例のＩＤタグホルダー付きパレット１２では、図１１に示したように、弾性片４０、４１、４２、４３の内、垂下リブ８２ａと係合しているのは、弾性片４１、４３だけであり、他の弾性片４０、４２は、垂下壁８２ｂと当設して弾性変形したままの状態で、ＩＤタグホルダー１０がパレット７０に取り付けられている。
【００６８】
このように、弾性片４０、４２が弾性変形した状態で、ＩＤタグホルダー１０がパレット７０に取り付けられたとしても、頭部２０の奥行き幅が隣接する桟８２、８２の間の距離と略同一に形成されているため、ＩＤタグホルダー１０が桟に直交する方向にガタつくことはない。また、弾性片４１、４３が垂下リブ８２ａの下端部と係合しており、この弾性片４１、４３がストッパーとなるため、ＩＤタグホルダー１０が挿入方向に抜けてしまうこともない。
【００６９】
すなわち、本発明のＩＤタグホルダー付きパレット１２では、ＩＤタグホルダー１０をパレット７０に挿入する際、隣接する少なくとも一方の桟８２の垂下リブ８２ａと係合するように構成されていればよい。したがって、本発明のＩＤタグホルダー１０は、図３に示したパレット７０のａ部だけでなく、ｂ部にも挿入して、取り付けることが可能である。
【００７０】
図１２は、本発明の第３の実施の形態に係るＩＤタグホルダー付きパレットを示した図であり、本発明のＩＤタグホルダーをパレットに取り付けた状態を示した斜視図である。
本実施例のＩＤタグホルダー１０及びＩＤタグホルダー付きパレット１２は、図１〜図９に示したＩＤタグホルダー１０及びＩＤタグホルダー付きパレット１２と基本的には同様の構成であり、同一の部材には、同一の符号を付して、その詳細な説明を省略する。
【００７１】
本実施例のＩＤタグホルダー付きパレット１２では、図１２に示したように、ＩＤタグホルダー１０の頭部２０の幅が、隣接する接続壁８４、８４の間の距離よりも短く形成されている。
【００７２】
このように、ＩＤタグホルダー１０の頭部２０の幅が、隣接する接続壁８４、８４の間の距離よりも短く形成されていても、上述したように、ＩＤタグホルダー１０の底面６０に形成された突起６２と、裏面側デッキボード７４の桟８３の中央部に形成された貫通孔８３ｈとが嵌合することから、ＩＤタグホルダー１０が桟の延設方向にガタつくことはない。
【００７３】
また、本実施例のパレット７０の桟８２には、図１２に示したように、ＩＤタグホルダー１０の頂板２２の中心位置に形成されている位置決め用の目印９２に対応して、位置決め用の目印９０が形成されている。
【００７４】
このように、パレット７０の桟８２に位置決め用の目印９０が形成されることで、パレット７０にＩＤタグホルダー１０を挿入する際の位置決めを容易に行うことができ、ＩＤタグホルダー１０のパレット７０への取り付けをより一層容易に行うことができる。
【００７５】
なお、この位置決め用の目印９０は、ＩＤタグホルダー１０をパレット７０に挿入して取り付ける際に、ＩＤタグホルダー１０の挿入位置が分かるように形成されていればよく、その位置及び形状は特に限定されない。
【００７６】
以上、本発明の好ましい実施の態様を説明してきたが、本発明はこれに限定されることはなく、本発明の目的を逸脱しない範囲で種々の変更が可能である。
【符号の説明】
【００７７】
１０  ＩＤタグホルダー
１２  ＩＤタグホルダー付きパレット
２０  頭部
２２  頂板
２４、２５  側板
２６  中板
２８  底板
３０  本体部
３２  ＩＤタグ保持部
３４  底部
３６、３７  縦部材
３８、３９  縦壁
４０、４１、４２、４３  弾性片
４４、４５  基台部
４６、４７  補強壁
４８、４９、５０、５１、５２、５３  係止片
５４、５５  横リブ
５６  中間リブ
５８、５９  縦リブ
６０  底面
６２  突起
６６  ＩＤタグ
７０  パレット
７２  表面側デッキボード
７４  裏面側デッキボード
７６  隅部支柱
７８  中間部支柱
８０  フォーク挿入口
８２  桟
８２ａ  垂下リブ
８２ｂ  垂下壁
８２ｈ  貫通孔
８３  桟
８３ｈ  貫通孔
８４  接続壁
８６  開口
９０、９２  位置決め用の目印
１００  ＩＤタグホルダー
１０９  垂下壁
１１１  突出壁
１１７  ＩＤタグ保持部
１１８、１１９、１２０  上部突出爪
１２１、１２２、１２３  下部突出爪
１２４  取っ手
１３２  ＩＤタグ
２００  ＩＤタグホルダー付きパレット
２０１  パレット
２０２  表面側デッキボード
２０６、２０７  桟
２０８、２１０  平面部
２０９、２１１  垂下部
２１２、２１３、２１４、２１５  通孔
２１６  ＩＤタグホルダー
２１７  ＩＤタグ保持部
２１８、２１９、２２０、２２１  突出片
２３６、２３７、２３８  ＩＤタグ
ＣＬ  中心線
【図１】
2011057260.tif 000003
【図２】
2011057260.tif 000004
【図３】
2011057260.tif 000005
【図４】
2011057260.tif 000006
【図５】
2011057260.tif 000007
【図６】
2011057260.tif 000008
【図７】
2011057260.tif 000009
【図８】
2011057260.tif 000010
【図９】
2011057260.tif 000011
【図１０】
2011057260.tif 000012
【図１１】
2011057260.tif 000013
【図１２】
2011057260.tif 000014
【図１３】
2011057260.tif 000015
【図１４】
2011057260.tif 000016
【図１５】
2011057260.tif 000017
【図１６】
2011057260.tif 000018
【図１７】
2011057260.tif 000019
【図１８】
2011057260.tif 000020